(57)【要約】【課題】部屋の天井等に略水平状態に取り付ける照明装置において、円筒パイプを長尺の合成樹脂製とし、長尺のＬＥＤ基板が円筒パイプ内に取り付けられたものでは、全体の重量によって、ＬＥＤ基板と共に円筒パイプの中間部が下方へ撓む状態となる。本発明は、このような撓みを抑制するための技術を提供するものである。【解決手段】多数のＬＥＤを照明側面に配置した長尺のＬＥＤ基板が合成樹脂製管体内の長手方向に延在するよう収納され、ソケット部に嵌合装着される端子部を備えた端部キャップが前記管体の左右両端に取り付けられ、前記端子部を通して前記ＬＥＤへ電力が供給されるＬＥＤ照明装置において、前記管体の内面には、前記ＬＥＤ基板に向けて延びた撓み抑制リブを前記管体と同時成形にて長手方向に形成したこと。【選択図】図１０
2012014841.tif 000002
【特許請求の範囲】
【請求項１】
多数のＬＥＤを照明側面に配置した長尺のＬＥＤ基板が合成樹脂製管体内の長手方向に
延在するよう収納され、ソケット部に嵌合装着される端子部を備えた端部キャップが前記
管体の左右両端に取り付けられ、前記端子部を通して前記ＬＥＤへ電力が供給されるＬＥ
Ｄ照明装置において、
前記管体の内面には、前記ＬＥＤ基板に向けて延びた撓み抑制リブを前記管体と同時成
形にて長手方向に形成したことを特徴とするＬＥＤ照明装置。
【請求項２】
多数のＬＥＤを照明側面に配置した長尺のＬＥＤ基板が合成樹脂製管体内の長手方向に
延在するよう収納され、ソケット部に嵌合装着される端子部を備えた端部キャップが前記
管体の左右両端に取り付けられ、前記端子部を通して前記ＬＥＤへ電力が供給されるＬＥ
Ｄ照明装置において、
前記管体は押し出し成形にて筒状に形成されると共にその内面対向位置に前記管体の長
手方向に延在して前記ＬＥＤ基板の対向端部が挿入支持される一対の支持溝が形成され、
前記管体の内面には、前記ＬＥＤ基板の上面または下面に近接する位置まで延びた撓み抑
制リブを前記管体と同時成形にて長手方向に形成したことを特徴とするＬＥＤ照明装置。
【請求項３】
前記ＬＥＤ基板の上面には前記ＬＥＤ基板よりも小さい幅のＬＥＤ駆動用回路基板が取
り付けられ、前記撓み抑制リブは、前記ＬＥＤ駆動用回路基板の両側で前記ＬＥＤ基板の
上面に向けて延びたことを特徴とする請求項１または２に記載のＬＥＤ照明装置。
【発明の詳細な説明】
【技術分野】
【０００１】
本発明は、多数のＬＥＤ（発光ダイオード）を配置した長尺帯板状の基板が合成樹脂製
管体内に収納されたＬＥＤ照明装置に関し、特に、ＬＥＤ照明装置を水平状態で使用する
場合における合成樹脂製管体の下方への撓みを抑制する技術に関する。
【背景技術】
【０００２】
透明プラスチックの円筒パイプ２内に、多数のＬＥＤ９を配置した長尺の支持板３（Ｌ
ＥＤ基板）が水平に取り付けられ、この支持板３の両端にそれぞれ２本の端子４、４が接
続され、円筒パイプ２の両端を塞ぐベースキャップ５、５から端子４、４が突設されたも
のがある（特許文献１参照）。
【先行技術文献】
【特許文献】
【０００３】
【特許文献１】特開２００１−３５１４０２号公報
【発明の概要】
【発明が解決しようとする課題】
【０００４】
特許文献１のものは、長尺のＬＥＤ基板が円筒パイプ内に取り付けられたものであるた
め、これを例えば天井に取り付けた従来の直管形蛍光灯の取り付け用ソケット部に嵌合装
着して使用する場合、ＬＥＤ基板は水平状態を保ち、その照射方向は下方に向いた一定状
態となる。
【０００５】
しかし、円筒パイプを長尺の合成樹脂製とした場合、長尺のＬＥＤ基板が円筒パイプ内
に取り付けられたものであるため、部屋の天井等に略水平状態に取り付けた場合には、全
体の重量によって、ＬＥＤ基板と共に円筒パイプの中間部が下方へ撓む状態となる。
【０００６】
本発明は、このような点に鑑み、部屋の天井等に略水平状態に取り付ける照明装置にお
いて、このような撓みを抑制するための技術を提供するものである。
【課題を解決するための手段】
【０００７】
第１発明は、多数のＬＥＤを照明側面に配置した長尺のＬＥＤ基板が合成樹脂製管体内
の長手方向に延在するよう収納され、ソケット部に嵌合装着される端子部を備えた端部キ
ャップが前記管体の左右両端に取り付けられ、前記端子部を通して前記ＬＥＤへ電力が供
給されるＬＥＤ照明装置において、
前記管体の内面には、前記ＬＥＤ基板に向けて延びた撓み抑制リブを前記管体と同時成
形にて長手方向に形成したことを特徴とする。
【０００８】
第２発明は、多数のＬＥＤを照明側面に配置した長尺のＬＥＤ基板が合成樹脂製管体内
の長手方向に延在するよう収納され、ソケット部に嵌合装着される端子部を備えた端部キ
ャップが前記管体の左右両端に取り付けられ、前記端子部を通して前記ＬＥＤへ電力が供
給されるＬＥＤ照明装置において、
前記管体は押し出し成形にて筒状に形成されると共にその内面対向位置に前記管体の長
手方向に延在して前記ＬＥＤ基板の対向端部が挿入支持される一対の支持溝が形成され、
前記管体の内面には、前記ＬＥＤ基板の上面または下面に近接する位置まで延びた撓み抑
制リブを前記管体と同時成形にて長手方向に形成したことを特徴とする。
【０００９】
第３発明は、第１発明または第２発明において、前記ＬＥＤ基板の上面には前記ＬＥＤ
基板よりも小さい幅のＬＥＤ駆動用回路基板が取り付けられ、前記撓み抑制リブは、前記
ＬＥＤ駆動用回路基板の両側で前記ＬＥＤ基板の上面に向けて延びたことを特徴とする。
【発明の効果】
【００１０】
第１発明によって、撓み抑制リブは管体と同時成形にて長手方向に形成したため、管体
が長尺の合成樹脂製であっても、管体の撓みを低コストでもって有効に抑制できるものと
なる。
【００１１】
第２発明は、第１発明の効果に加えて、ＬＥＤ基板の支持が一対の支持溝で行なえるた
め、管体内へのＬＥＤ基板の支持が容易となると共に、この一対の支持溝の両側のリブが
管体の補強となる。更に、撓み抑制リブはＬＥＤ基板の上面または下面に近接する位置ま
で延びることによって、管体内での撓み抑制リブの突出長さを長くできることとなり、撓
み抑制効果が更に良好となる。
【００１２】
第３発明は、第１発明または第２発明の効果に加えて、照明側面の裏側に撓み抑制リブ
を形成できるため、撓み抑制リブによる照明の阻害がなく、所期の照明効果を得ることが
できる。そして、撓み抑制リブをＬＥＤ基板の上面に向けて長く延びる構成とすることに
より、撓み抑制効果が良好なものとなる。
【図面の簡単な説明】
【００１３】
【図１】本発明に係るＬＥＤ照明装置の外観図である。
【図２】本発明に係るＬＥＤ照明装置の管体内に収納した基板の状態説明図である。
【図３】図２のＹ方向から見た管体内に収納したＬＥＤ基板の状態説明図である。
【図４】本発明に係るＬＥＤ照明装置の端部キャップと管体内に収納した基板との関係を示す斜視図である。
【図５】本発明に係るＬＥＤ照明装置の端部キャップのリード線の配置状態を示す斜視図である。
【図６】本発明に係るＬＥＤ照明装置の端部キャップの側面図である。
【図７】本発明に係るＬＥＤ照明装置の端部キャップ内のリード線の配置状態図である。
【図８】図７のＡ−Ａ断面図である。
【図９】本発明に係るＬＥＤ照明装置の端部キャップ、ＬＥＤ基板及び管体の関係を示す分解斜視図である。
【図１０】本発明に係る撓み抑制リブがＬＥＤ基板の下面の中央部またはＬＥＤ基板の上面の端部に向けて延びた状態の管体の断面図である。
【図１１】本発明に係る撓み抑制リブをＬＥＤ基板の上面または下面の端部に向けて延びた状態の管体の断面図である。
【発明を実施するための形態】
【００１４】
本発明は、多数のＬＥＤを照明側面に配置した長尺のＬＥＤ基板が合成樹脂製管体内の
長手方向に延在するよう収納され、ソケット部に嵌合装着される端子部を備えた端部キャ
ップが前記管体の左右両端に取り付けられ、前記端子部を通して前記ＬＥＤへ電力が供給
されるＬＥＤ照明装置において、前記管体の内面には、前記ＬＥＤ基板に向けて延びた撓
み抑制リブを前記管体と同時成形にて長手方向に形成したものであり、以下に本発明の実
施例を記載する。
【実施例１】
【００１５】
本発明に係るＬＥＤ照明装置１は、従来使用されている直管形蛍光灯照明装置の直管形
蛍光灯に代わって、そのソケット（図示せず）に取り付けられるものであるが、これに限
定されず、本発明に係るＬＥＤ照明装置１を取り付ける専用のソケットを備える照明器具
にも適用可能な照明装置となるものである。
【００１６】
以下に本発明に係るＬＥＤ照明装置１を図に基づき説明する。ＬＥＤ照明装置１は、多
数の白色ＬＥＤ（発光ダイオード）２を配置した長尺のＬＥＤ基板３が少なくとも一部が
透光性である直管形管体４内の長手方向（管体４の長軸方向）に延在するよう収納され、
従来使用されている直管形蛍光灯照明装置等のソケット部（図示せず）に嵌合装着される
端子部５を備えた端部キャップ６が管体４の左右両端に取り付けられ、端子部５に半田付
けされたリード線７を介してＬＥＤ２へ所定の電力が供給され、ＬＥＤ２が発光するもの
である。
【００１７】
ＬＥＤ照明装置１は、部屋の天井等に配置された直管形蛍光灯照明装置等のソケット部
（図示せず）に装着して、管体４が略水平状態に支持されるものであり、この状態で、照
明側面３Ｐが下側に向き、下方を照明するものである。
【００１８】
管体４内には、ＬＥＤ基板３の他にＬＥＤ駆動用回路基板８が収納されている。ＬＥＤ
基板３は平板状の合成樹脂製であり、その片側面（図２では下側面）が照明側面３Ｐとな
るように多数のＬＥＤ２が配置されており、照明側面３Ｐの反対側となる他方側面（裏面
）には、ＬＥＤ２へ電力供給する電気回路素子を取り付けた平板状のＬＥＤ駆動用回路基
板８が、ＬＥＤ基板３と並行状態にＬＥＤ基板３の裏側（図２では上側）に取り付けられ
ている。実施例では図１乃至図３に示すように、ＬＥＤ照明装置１は、部屋の天井部分等
に取り付けられて下方を照明するものであり、ＬＥＤ基板３の下側面が照明側面３Ｐとな
るように配置された構成である。
【００１９】
ＬＥＤ基板３の照明側面３Ｐには、一列に電気的に直列接続された多数のＬＥＤ２が直
線状に配列される状態でもって、複数列に配置されている。図示のものは、全部で３０６
個のＬＥＤ２が３列に所定間隔でもって配置されている。実施例で示すＬＥＤ照明装置１
は、長さＬが略１２００ｍｍであり、この長さに対応する長さのＬＥＤ基板３を１枚の基
板で形成することは、コスト的にもアップするため、実施例では３枚の単位基板Ａ、Ｂ、
Ｃが直列接続されてＬＥＤ基板３を構成している。このため、単位基板Ａ、Ｂ、Ｃにはそ
れぞれ１列３４個のＬＥＤ２が３列に所定間隔でもって配置された状態であり、単位基板
Ａ、Ｂ、Ｃの各列のＬＥＤ２は、電気的に直列接続されて、全体として３０６個のＬＥＤ
２が３列構成である。
【００２０】
管体４は、ＬＥＤ２の発光が透過するために、図１に一点鎖線で示す線ＰＬから上方領
域４Ｕを不透明とし、線ＰＬから下方領域４Ｄが透明または半透明（着色または乳白色を
含む）になった透光性をなすように、合成樹脂材の押し出し成形または引き抜き成形で形
成された円筒状またはそれに近い筒状である。平坦な照明側面３Ｐに取り付けたＬＥＤ２
の発光による照射角度は、略１２０度であるため、平坦な照明側面３Ｐに取り付けた３列
の両端の各列のＬＥＤ２の光の照射角度、及び管体４での反射光を考慮すれば、管体４は
、略ＬＥＤ基板３に対応する下方領域４Ｄが透光性をなす構成とすればよい。なお、上方
領域４Ｕを不透明とすれば、ＬＥＤ基板３よりも上方にあるＬＥＤ駆動用回路基板８、及
びそれに取り付けられた電気回路素子が外部から見えない状態となり、外観上好ましい形
態となる。管体４の成形と同時に上方領域４Ｕを不透明とする方法として種々あるが、例
えば、管体４の上方領域４Ｕに多数の細かい筋を形成する方法であってもよい。
【００２１】
管体４の両端部に取り付けた端部キャップ６の端子部５は、それぞれ２本のピンを備え
たものであるが、これは従来使用されている直管形蛍光灯照明装置のソケット部（図示せ
ず）に嵌合装着されるための構成となっているためである。
【００２２】
ＬＥＤ照明装置１の両端の端子部５へ供給される商用交流電力ＡＣによって、ＬＥＤ２
が発光するようにするために、ＬＥＤ２へ電力供給する電気回路素子Ｓを取り付けたＬＥ
Ｄ駆動用回路基板８が設けられている。ＬＥＤ駆動用回路基板８には、左右の端子部５に
それぞれリード線７側の端子側コネクタ１１Ｂと接続される基板側コネクタ１１Ａが配置
され、これらの基板側コネクタ１１Ａと端子側コネクタ１１Ｂが接続された状態で、左右
の端子部５からリード線７を介して商用交流電力ＡＣが、ＬＥＤ駆動用回路基板８の電気
回路素子Ｓに供給される。この電気回路素子Ｓとして、ＬＥＤ駆動用回路基板８には、こ
の左右の端子部５からリード線７を介して供給される商用交流電力ＡＣを整流して所定の
直流ＤＣとするための整流回路を含むＡＣ／ＤＣ変換回路部９と、ＡＣ／ＤＣ変換回路部
９から供給される直流ＤＣを所定電圧としてＬＥＤ２に供給する電圧制御部１０を備えて
いる。
【００２３】
図７〜図１１に示すように、ＬＥＤ基板３を円筒状の管体４内に支持するために、円筒
状の管体４の内面対向位置には、管体４の長さ方向（管４の軸方向）へ延びた相対向する
一対の支持溝４Ａが、管体４の形成と同時に形成されている。一対の支持溝４Ａは、図７
〜図１１に示すように、それぞれ管体４の長さ方向（管４の軸方向）へ延びた対向する一
対のリブ４Ｂ、４Ｂ間に形成されており、一対のリブ４Ｂ、４Ｂの間隔は、ＬＥＤ基板３
の厚さよりも若干大きい寸法の間隔を存して、管体４の形成と同時に、管体４の全長に亘
って形成されている。管体４のの開口端から一対の支持溝４Ａに挿入され支持されたＬＥ
Ｄ基板３は、図７〜図１１に示すように、内側管体４１の上下の中央部よりも若干下方に
位置する。これは、上記のように照明側面３Ｐに取り付けたＬＥＤ２の照射角度は略１２
０度であること、及び電気回路素子Ｓを取り付けたＬＥＤ駆動用回路基板８がＬＥＤ基板
３の裏側（図では上側）に配置されている状態での収納を考慮したためである。
【００２４】
端部キャップ６は、円筒状の管体４に合わせるために、電気絶縁材である合成樹脂材で
もって円筒状に形成されている。端子部５は、電気絶縁材の端子支持部材１４に取り付け
られた状態で、端子側コネクタ１１Ｂを備えたリード線７の一端と半田付けにて接続され
る。端部キャップ６への端子支持部材１４の取り付けは、端子支持部材１４と一体に組み
合わせたカップ状の金属製外観部材１４Ａが、端部キャップ６の外側端の環状取り付け部
６Ａの外面に接着にて行なわれる。
【００２５】
図４に示すように、電気回路素子を取り付けたＬＥＤ駆動用回路基板８の幅Ｔ１は、Ｌ
ＥＤ基板３の幅Ｔ２よりも十分小さく設定され、ＬＥＤ駆動用回路基板８の幅Ｔ１の両側
に、ＬＥＤ基板３の長尺方向に並行に延びた長尺端縁３Ａが存在する配置でもって、ＬＥ
Ｄ駆動用回路基板８をＬＥＤ基板３の裏側に取り付けている。このような構成において、
図９に示すように、管体４の一端開口から、ＬＥＤ基板３の長尺端部３Ａを管体４内の一
対の支持溝４Ａにスライドにて挿入し、ＬＥＤ基板３を管体４内に収納する。この収納状
態において、管体４の左右の開口端部に端部キャップ６が取り付けられる。この取り付け
を達成するために、端部キャップ６の環状取り付け部６Ｂには、一対のリブ４Ｂ、４Ｂが
挿入される切り欠き６Ｄが形成されている。
【００２６】
本発明では、ＬＥＤ基板３は、管体４内の支持溝４Ａに支持された状態であるが、管体
４が合成樹脂で長尺の筒状に成形され、その中に収納されるＬＥＤ基板３が長尺になれば
なるほど、ＬＥＤ基板３を含めて管体４の中間部が下方へ撓む状態となる。このため、こ
の撓みを抑制するために、管体４の周囲壁から管体４内に向かって、撓みを抑制する支持
リブ１７を設けている。この支持リブ１７は、管体４と同時成形にて管体４の長手方向に
形成したものである。このため、支持リブ１７は、管体４の全長に亘って形成される。
【００２７】
支持リブ１７の形態は種々あるが、図１０に実線で示すように、ＬＥＤ基板３の下面で
ある照明側面３Ｐに近接する位置まで延びた撓み抑制リブ１７を二本並行に、管体４と同
時成形にて管体４の長手方向に形成している。これは、ＬＥＤ２が３列に所定間隔でもっ
て配置されているため、撓み抑制リブ１７の先端が、このＬＥＤ列間の隙間に臨む配置で
ある。撓み抑制リブ１７は一本でもよいが、このように二本形成することによって、管体
４の補強効果が大ききなり、撓み抑制効果が大きくなる。
【００２８】
また、撓み抑制リブ１７は、図１０に二点鎖線で示すように、ＬＥＤ駆動用回路基板８
の両側で、ＬＥＤ基板３の上面の端部に向けて延びた形態で、管体４と同時成形にて管体
４の長手方向に形成することでもよい。図１０に実線で示すようなＬＥＤ基板３の下面で
ある照明側面３Ｐに臨む場合に比して、ＬＥＤの照射方向の邪魔にならないため、照明効
果を損なうことにはならない。
【００２９】
図１１には、撓み抑制リブ１７が、支持溝４Ａを形成するための上下一対のリブ４Ｂ、
４Ｂの一方または両方に連続するように形成した形態を示している。図１１の実線の撓み
抑制リブ１７は、下側のリブ４Ｂに連続するように形成した形態を示している。また、図
１１の二点鎖線の撓み抑制リブ１７は、上側のリブ４Ｂに連続するように形成した形態を
示している。二点鎖線の撓み抑制リブ１７の形態は、ＬＥＤ駆動用回路基板８の両側で、
ＬＥＤ基板３の上面の端部に向けて延びた形態であり、ＬＥＤ基板３の下面である照明側
面３Ｐに臨む場合に比して、ＬＥＤの照射方向の邪魔にならないため、照明効果を損なう
ことにはならない。なお、管体４の外面に形成によるヒケが出る場合には、これを見え難
くするために、管体４の外面に長手方向に細かい筋などを形成するようにすればよい。
【００３０】
上記のように、管体４と同時成形にて管体４の長手方向に撓み抑制リブ１７を形成する
が、後述のように、管体４の両端開口部に端部キャップ６を取り付けるため、この取り付
けによって撓み抑制リブ１７が端部キャップ６に衝突しないようにするために、端部キャ
ップ６の環状取り付け部６Ｂには、撓み抑制リブ１７が挿入される切り欠き６Ｍが形成さ
れている。これによって、図１０及び図１１のいずれに形態においても、管体４の両端開
口部に端部キャップ６を取り付けたとき、撓み抑制リブ１７が切り欠き６Ｍに挿入され、
管体４と端部キャップ６の結合が良好になる。
【００３１】
管体４の左右の開口端部への端部キャップ６の取り付けに際し、先ず基板側コネクタ１
１Ａと端子側コネクタ１１Ｂとを結合させ、この状態で、管体４の左右の開口端部に端部
キャップ６を嵌め合わせる。この嵌め合わせに伴って、一対のリブ４Ｂ、４Ｂが切り欠き
６Ｄに挿入されつつ、且つ撓み抑制リブ１７が切り欠き６Ｍに挿入されつつ、管体４の開
口端部が端部キャップ６の環状のストッパフランジ６Ｃに当接する状態まで、管体４を内
側端の環状取り付け部６Ｂの外面に挿入する。この挿入によって、環状取り付け部６Ｂと
管体４とは、少なくともそのいずれか一方に塗布した接着剤によって結合され、環状取り
付け部６Ｂと管体４とが一体化される。
【００３２】
管体４の左右の開口端部への端部キャップ６の取り付けにおいて、管体４内の一対の支
持溝４Ａに挿入支持されたＬＥＤ基板３が、管体４内の所定位置に収まり位置決めされる
ようにするために、切り欠き６Ｄの中央部には、基板ストッパ部６Ｅが端部キャップ６に
形成されている。これによって、上記のように管体４の左右の開口端部への端部キャップ
６の取り付けによって、ＬＥＤ基板３が管体４の左右のいずれかの方向へずれておれば、
図８に示すように、ＬＥＤ基板３の長尺方向の端部３Ｂが基板ストッパ部６Ｅに当接して
、ＬＥＤ基板３が管体４の左右の中央位置へ位置決めされる状態となる。この位置決めは
、ＬＥＤ２の発光が、管体４の全長から均一に得られるようにするために有効である。
【００３３】
このようにして管体４と端部キャップ６とは結合されるが、この組立作業において、リ
ード線７が引っ張られたり、撓んだり、捩じれたりした場合、その作用力がリード線７と
端子部５との半田付け箇所に直接掛かれば、この半田付け箇所が剥がれたり、接触不良状
態になったり等、電気的接続不良が生じる。また、端子側コネクタ１１Ｂを取り付けたリ
ード線７が端子部５に半田付けされた状態で、上記のような組立作業の準備中や運搬中に
、引っ張りや捩じれ等による作用力が半田付け箇所に掛かった場合も、同様に電気的接続
不良が生じる虞がある。このような事態にならないようにする技術を以下に記載する。
【００３４】
図５、図７、図８等に示すように、端部キャップ６の内側には、環状取り付け部６Ｂで
囲まれた内方領域には、環状取り付け部６Ｂから突出しない範囲で、リード線７の途中を
屈曲係止する係止部１５を備え、この屈曲係止によってリード線７と端子部５との半田付
け箇所へ掛かるリード線７の引っ張りや撓み等の作用力を吸収するようにしている。
【００３５】
係止部１５は、向かい合った一対の第１係止部１５Ａ、１５Ａと、第２係止部１５Ｂ、
１５Ｂによって構成している。第１係止部１５Ａ、１５Ａは、端部キャップ６内の内外隔
壁１６に形成した孔１６Ａに端部に形成され、この孔１６Ａに臨むように第２係止部１５
Ｂ、１５Ｂが形成されている。このため、端子部５から延びた２本のリード線７は、それ
ぞれ孔１６Ａの近傍で内外隔壁１６を貫通して第２係止部１５Ｂ、１５Ｂに係止するよう
に屈曲した後、端子側コネクタ１１Ｂへ延びる。この状態で、図８に示すように、２本の
リード線７はそれぞれ第１係止部１５Ａ、１５Ａに係止すると共に孔１６Ａに一部が侵入
する状態で、第２係止部１５Ｂ、１５Ｂに係止した状態となる。第１係止部１５Ａ、１５
Ａと、第２係止部１５Ｂ、１５Ｂへのリード線７の係止は、第２係止部１５Ｂ、１５Ｂ間
からリード線７を屈曲させつつ挿入係止することによって達成できる。
【００３６】
第１係止部１５Ａ、１５Ａと、第２係止部１５Ｂ、１５Ｂへのリード線７の係止は、第
２係止部１５Ｂ、１５Ｂ間からリード線７を屈曲させつつ、図５に矢印Ｑで示す方向へ挿
入係止することによって達成できる。
【００３７】
これによって、端子側コネクタ１１Ｂ側へリード線７が引っ張られても、主として第２
係止部１５Ｂに係止するため、この引っ張り作用力がこの部分で吸収されて、端子部５と
の半田付け箇所へ掛かることがないか抑制される。
また、端子側コネクタ１１Ｂ側から端子部５方向へリード線７が撓んでも、主として第２
係止部１５Ｂに押し圧係止するため、この撓み作用力がこの部分で吸収されて、端子部５
との半田付け箇所へ掛かることがないか抑制される。また、リード線７が捩じれた場合に
は、第１係止部１５Ａ、１５Ａ及び第２係止部１５Ｂ、１５Ｂのいずれかまたは双方によ
って、この捩じれ作用力がこの部分で吸収されて、端子部５との半田付け箇所へ掛かるこ
とがないか抑制される。
【００３８】
図８に示すように、第１係止部１５Ａ、１５Ａと、第２係止部１５Ｂ、１５Ｂへリード
線７を係止した状態で、２本のリード線の途中がＳ字状屈曲となる状態で係止されること
により、リード線７の引っ張り、撓み、捩じれによる作用力の吸収は、更に良好な効果を
得ることができる。
【００３９】
また、上記のようなリード線７の引っ張り、撓み、捩じれによる作用力の吸収は、内外
隔壁１６に形成した孔１６Ａが存在しない構成でも差し支えないが、この孔１６Ａの存在
によって、更に良好な効果を得ることができる。また、この孔１６Ａに相当する部分で隔
壁１６が端子部５側へ窪んでいても、この係止部１５に部分で２本のリード線の途中がＳ
字状屈曲となる状態で係止されることとなり、同様の効果を得ることができる。
【００４０】
上記のように、管体４は押し出し成形にて筒状に形成されると共にその内面対向位置に
、管体４の長手方向に延在してＬＥＤ基板３の対向端部３Ａが挿入支持される一対の支持
溝４Ａが形成され、図８に示すように、端部キャップ６は、リード線７の途中を屈曲係止
する係止部１５と、一対の支持溝４Ａに挿入支持されたＬＥＤ基板３の長手方向端部３Ｂ
に当接して、ＬＥＤ基板３の位置決めをするストッパ部６Ｅを形成した構成である。この
ストッパ部６Ｅは、環状取り付け部６Ｂで囲まれた内方領域において、ＬＥＤ基板３の長
手方向端部３Ｂに当接または近接する位置であり、且つ、ＬＥＤ基板３の長手方向端部３
Ｂが、係止部１５によって屈曲係止されたリード線７の屈曲部に当接しないように、ＬＥ
Ｄ基板３の長手方向移動を制限する作用をする位置である。このため、ＬＥＤ基板３の長
手方向移動がストッパ部６Ｅによって制限されるため、運搬中などでＬＥＤ基板３が移動
してリード線７の被覆損傷等を防止できる。
【産業上の利用可能性】
【００４１】
本発明に係るＬＥＤ照明装置は、上記実施例に示した直管形ＬＥＤ照明装置に限らず、
本発明の技術範囲において種々の形態のＬＥＤ照明装置を包含するものである。
【符号の説明】
【００４２】
１・・・・・ＬＥＤ照明装置
２・・・・・ＬＥＤ
３・・・・・ＬＥＤ基板
３Ａ・・・・照明側面
３Ｂ・・・・ＬＥＤ基板３の長手方向端部
３Ｐ・・・・照明側面
４・・・・・管体
４Ａ・・・・溝
４Ｂ・・・・リブ
５・・・・・端子部
６・・・・・端部キャップ
６Ｂ・・・・環状取り付け部
６Ｄ・・・・切り欠き
６Ｅ・・・・ストッパ部
６Ｍ・・・・切り欠き
７・・・・・リード線
８・・・・・ＬＥＤ駆動用回路基板
９・・・・・ＡＣ／ＤＣ変換回路部
１０・・・・電圧制御部
１１Ａ・・・基板側コネクタ
１１Ｂ・・・端子側コネクタ
１５・・・・係止部
１５Ａ・・・第１係止部
１５Ｂ・・・第２係止部
１６・・・・隔壁
１６Ａ・・・孔
１７・・・・撓み抑制リブ
【図１】
2012014841.tif 000003
【図２】
2012014841.tif 000004
【図３】
2012014841.tif 000005
【図４】
2012014841.tif 000006
【図５】
2012014841.tif 000007
【図６】
2012014841.tif 000008
【図７】
2012014841.tif 000009
【図８】
2012014841.tif 000010
【図９】
2012014841.tif 000011
【図１０】
2012014841.tif 000012
【図１１】
2012014841.tif 000013